(57)【要約】【課題】  確実に帯電を抑制すること。【解決手段】  シート案内装置１２は、搬送されるシートを案内する樹脂製の本体下ガイド１、シート上ガイド２のシート案内面１ａ，２ａが、粒度約４００番乃至約８００番の微粉を敷き詰めたような凹凸面になっている。シート案内面１ａ，２ａが凹凸面になっていることによって、原稿とシート案内面の密着率を下げ、その隙間に空気があり帯電防止作用を発揮することができて帯電量が少なくなる。この結果、原稿は、シート案内面に密着することが無くなる。【選択図】      図１ 
2005194004.tif 000002
【特許請求の範囲】
【請求項１】
搬送されるシートを案内する樹脂製のシート案内部材のシート案内面が、粒度約４００番乃至約８００番の微粉を敷き詰めたような凹凸面であることを特徴とするシート案内装置。
【請求項２】
前記シート案内面には、前記シートの搬送方向に沿って突条を形成してあることを特徴とする請求項１に記載のシート案内装置。
【請求項３】
シートを案内する請求項１又は２に記載のシート案内装置と、
前記シート案内装置によって搬送される前記シートに形成してある画像を読み取る画像読取手段と、
を備えていることを特徴とする画像読取装置。
【請求項４】
シートを案内する請求項１又は２に記載のシート案内装置と、
前記シート案内装置によって搬送される前記シートに画像を形成する画像形成手段と、
を備えていることを特徴とする画像形成装置。
【発明の詳細な説明】
【技術分野】
【０００１】
本発明は、樹脂製のシート案内部材を備えたシート案内装置と、このシート案内装置を備えた画像読取装置、及び画像形成装置に関する。
【背景技術】
【０００２】
シートを搬送するシート搬送装置には、搬送するシートをシート案内部材で案内するシート案内装置を備えている（例えば、特許文献１参照）。シート案内部材には、従来、板金製のものと樹脂製のものとがあった。板金製のシート案内部材は、アースに落として帯電防止を施してある。一方、樹脂製のシート案内部材は、導電性部材でないため、アースを取りにくかった。
【０００３】
そこで、樹脂製のシート案内部材の場合、導電性樹脂製にすることが考えられる。しかし、導電性樹脂製するとシート案内部材が高価になることが多い。また、特性に見合う導電性樹脂が存在しなかった。このため、従来の樹脂製のシート案内部材は、帯電防止対策を施さずそのまま使用されていることが多かった。
【０００４】
そこで、樹脂製のシート案内部材は、少しでも帯電しないようにするため、シート案内面に搬送リブを設けて、シートをシート案内面から浮かして摺擦抵抗を少なくしていた。しかし、搬送リブを形成してあるシート案内部材は、柔軟性のあるシートの場合、シートの一部分が搬送リブ同士の間に落ち込んでシート案内面に接触するため、除電抑制効果を発揮できないことがあった。また、搬送リブは、樹脂製であるため、長期間の使用によって摩耗するので、さらに帯電抑制効果は下がることがあった。
【０００５】
このようなシート案内装置は、樹脂製のシート案内部材のシート案内面とシートとの摺擦によって、装置内部が帯電する構造になっている。このため、従来のシート案内装置、従来のシート案内装置を備えたシート搬送装置、このようなシート搬送装置を備えた画像読取装置及び画像形成装置は、装置内部に除電針と呼ばれる細い金属ワイヤー等をブラシ状に備えて、その金属ワイヤーをシートに直接接触させてアースに落とす構成にする必要があった。
【０００６】
【特許文献１】特開平６−２１０８９５号公報（図１参照）
【発明の開示】
【発明が解決しようとする課題】
【０００７】
しかし、従来のシート案内装置は、帯電によりシート同士が貼り付いたり、樹脂製のシート案内部材の案内面にシートが貼り付いたりしてシートを確実に案内することができずに、シートジャムの発生原因になるという問題があった。
【０００８】
また、従来のシート案内装置、従来のシート案内装置を備えたシート搬送装置、このシート搬送装置を備えた画像読取装置及び画像形成装置は、除電針等の除電機構を設ける必要があり、コスト高になっていた。しかも、シート案内部材が帯電することによって、装置の電子部品に誤動作を引き起こすおそれがあった。
【０００９】
さらに、従来のシート案内装置を備えた画像読取装置は、帯電したシートに形成してある画像を確実に読み取ることができないことがあった。
【００１０】
また、従来のシート案内装置を備えた電子写真機構を用いた画像形成装置は、シートの帯電電位のバラツキによってシートに形成する画質が低下することがあった。
【００１１】
本発明は、確実に帯電を抑制したシート案内装置を提供することを目的としている。
【００１２】
本発明は、確実に帯電を抑制したシート案内装置を備えて、シートの帯電量を少なくして、そのシートに形成してある画像を確実に読み取る画像読取装置を提供することを目的としている。
【００１３】
本発明は、確実に帯電を抑制したシート案内装置を備えて、シートの帯電量を少なくして、そのシートに画像を確実に形成する画像形成装置を提供することを目的としている。
【課題を解決するための手段】
【００１４】
上記目的を達成するため本発明のシート案内装置は、搬送されるシートを案内する樹脂製のシート案内部材のシート案内面が、粒度約４００番乃至約８００番の微粉を敷き詰めたような凹凸面である。
【００１５】
本発明のシート案内装置における、前記シート案内面には、前記シートの搬送方向に沿って突条を形成してある。
【００１６】
上記目的を達成するため本発明の画像読取装置は、シートを案内する上記いずれか１つのシート案内装置と、前記シート案内装置によって搬送される前記シートに形成してある画像を読み取る画像読取手段と、を備えている。
【００１７】
上記目的を達成するため本発明の画像形成装置は、シートを案内する上記いずれか１つのシート案内装置と、前記シート案内装置によって搬送される前記シートに画像を形成する画像形成手段と、を備えている。
【発明の効果】
【００１８】
本発明のシート案内装置は、樹脂製のシート案内部材のシート案内面を凹凸面にして、帯電防止効果を備えたので、帯電要因によるシートの搬送不良を防止することができる。
【００１９】
本発明の画像読取装置は、帯電要因によるシートの搬送不良を防止したシート案内装置を備えているので、シートに形成してある画像を確実に読み取ることができる。また、除電針等の除電機構を廃止できて、構造を簡単にして、コストを下げることができる。
【００２０】
本発明の画像形成装置は、帯電要因によるシートの搬送不良を防止したシート案内装置を備えているので、シートに画像を確実に形成して、画質の低下を防止することができる。また、除電針等の除電機構を廃止できて、構造を簡単にして、コストを下げることができる。
【発明を実施するための最良の形態】
【００２１】
以下、本発明の実施形態のシート案内装置と、このシート案内装置を備えた画像読取装置とを図面に基づいて説明する。
【００２２】
図１は、シート案内装置を備えた画像読取装置のシート搬送方向に沿った断面図である。図２は、図１の画像読取装置の平面図である。図３は、図１に示すシート案内装置における上側のシート案内部材の下面図（シート搬送面の平面図）である。図４は、シート案内装置のシート案内部材の断面拡大図である。
【００２３】
図１に示す画像読取装置１１は、シート案内部材である本体下ガイド１と本体上ガイド２とを対向させてシートである原稿Ｄを引き込む部分にシート案内装置１２として備えている。本体下ガイド１は、原稿の裏面側（下面側）を案内する樹脂製の部材である。本体上ガイド２は原稿の表面側（上面側）を案内する樹脂製の部材である。搬送トレイ３は、重ねた原稿が積載される部分である。サイド規制板６は、搬送トレイ３に積載された原稿の両側を整合するようになっている。
【００２４】
ピックアップローラ４は、シート搬送時に降下して回転し、原稿に搬送力を与えて、装置本体１３内に原稿を引き込んで搬送するようになっている。分離パット５は、原稿が重なって装置本体内に進入しないように、原稿を１枚ずつに分離する分離機構の一部分構成している。シート供給ローラ１０は、ピックアップローラ４がピックアップした原稿を搬送するようになっている。送りローラ１４，１５は、コンタクトイメージセンサ１６の前後に配設されてコンタクトイメージセンサ１６に対して原稿を一定の速度で搬送するようになっている。送りローラ１５は、原稿を排出する役目もしている。画像読取手段であるコンタクトイメージセンサ１６は、原稿に形成してある画像を読み取るようになっている。
【００２５】
以上の構成において、搬送トレイ３に積載された原稿は、本体下ガイド１と、本体上ガイド２とに案内されて、ピックアップローラ４によって装置本体１３内に引き込まれる。原稿は、シート供給ローラ１０と送りローラ１４によって、コンタクトイメージセンサ１６に送り込まれて、上面に形成してある画像をコンタクトイメージセンサ１６によって読み取られる。原稿は、最後に、送りローラ１５によって排出される。
【００２６】
次に、シート案内装置１２を説明する。なお、図２、図３において、網目の部分は、シート案内面である。
【００２７】
シート案内装置１２は、樹脂製の本体下ガイド１、本体上ガイド２及び搬送トレイ３を備えている。なお、搬送トレイ３は、必ずしも必要としない。
【００２８】
本体上ガイド２のシート案内面２ａには、リブ１８を原稿搬送方向に沿って下向きに複数突設してある。また、本体上ガイド２には、ピックアップローラ４を受け入れる断面円弧状の溝１９も形成してある。本体下ガイド１のシート案内面１ａにも不図示のリブを原稿搬送方向に沿って上向きに突設してある。搬送トレイ３のシート案内面３ａにも、原稿搬送方向に沿って複数のリブ１７を突設してある。
【００２９】
本体下ガイド１のシート案内面１ａと、本体上ガイド２のシート案内面２ａと、搬送トレイ３のシート案内面３ａは、細かい突部７によって凹凸面になっている。
【００３０】
細かい突部７は、樹脂部材を成形する金型の表面に施した細かい凹凸を転写して形成されている。この金型の細かい凹凸は、エッチング等の化学処理やサンドブラスト等の加工処理によって形成される。本実施形態における、本体下ガイド１と、本体上ガイド２及び搬送トレイ３を成型する金型の成型面は、サンドブラスト装置によって、粒度約４００乃至約８００の研磨用微粉を吹き付けて凹凸に形成してある。
【００３１】
本実施形態における突部７の高さが低く、密度が高いとシート案内面１ａ，２ａ，３ａが滑らかになり、原稿がシート案内面１ａ，２ａ，３ａに密着して、突部が除電抑制効果を充分に発揮することができない。逆に、突部の高さが高く、密度が粗いとシート案内面１ａ，２ａ，３ａに原稿が引っ掛かり、突部がシートの搬送を阻害することになる。
【００３２】
実験の結果、突部の高さと密度は、サンドブラスト装置によって、粒度約４００乃至約８００の研磨用微粉を吹き付けて形成された金型によって成型された、本体下ガイド１、本体上ガイド２及び搬送トレイ３のシート案内面１ａ，２ａ，３ａ上の突部７の高さと密度が好ましく、除電抑制効果を充分に発揮し、かつ原稿に引っ掛かりが生じないことが判明した。
【００３３】
すなわち、本体下ガイド１、本体上ガイド２及び搬送トレイ３のシート案内面１ａ，２ａ，３ａは、粒度約４００番乃至約８００番の微粉を敷き詰めたような凹凸面であることが好ましい。
【００３４】
特に、粒度約６００の研磨用微粉を吹き付けて形成された金型によって成型された、本体下ガイド１、本体上ガイド２及び搬送トレイ３の場合、帯電量が従来の約５０％に留まるこという良好な結果が得られることが分かった。この場合、本体下ガイド１、本体上ガイド２及び搬送トレイ３のシート案内面１ａ，２ａ，３ａは、粒度約６００番の微粉を敷き詰めたような凹凸面になっている。
【００３５】
このように、本実施形態のシート案内装置１２は、本体下ガイド１、本体上ガイド２、及び搬送トレイ３のシート案内面１ａ，２ａ，３ａを凹凸面にして、原稿とシート案内面の密着率を下げ、その隙間に空気があることによって帯電防止作用を発揮することのできる構成にしてあるので、凹凸面にしていない従来の樹脂成形品に見られる面祖度が滑らかで凹凸の無いシート案内面の表面性とは明らかに異なって、本体下ガイド１、本体上ガイド２の帯電量が、はるかに少ないことが実験結果によって裏づけられた。なお、上記帯電量は、シート案内面、原稿の材質、原稿の搬送速度、環境等によって多少異なる。
【００３６】
さらに、本実施形態のシート案内装置１２は、シート案内面にリブ１７，１８を設けてあるのでより一層、帯電防止作用を発揮することができる。なお、リブ１７，１８も凹凸面になっていることは勿論である。
【００３７】
なお、本実施形態のシート案内装置は、図５に示すように、画像形成装置２１に組み込まれて、画像形成装置２１内でのシートの案内を確実に行うこともできるようになっている。
【００３８】
すなわち、画像形成装置２１は、シート積載トレイ２２に収納されたシートＰをピックアップローラ２３でシート積載トレイ２２から引き出して、シート案内装置２４のシート案内部材である本体上ガイド２５と本体下ガイド２６との案内によって、画像形成手段である感光体ドラム２７と転写ローラ３０との間に送り込む。一方、感光体ドラム２７には、レーザスキャナ２８からのレーザ光によって画像情報が潜像として形成された後、現像ローラ２９のトナー現像によって、トナー像として可視化されている。
【００３９】
転写ローラ３０は、感光体ドラム２７のトナー像をシートに転写する。そして、定着器３１がシートを加熱加圧して、トナー像をシートに永久定着する。最後、シート排出ローラ３２がシートを外部に排出する。
【００４０】
この画像形成装置２１によって、シートに画像が形成される前に、シート案内装置２４の本体上ガイド２５と本体下ガイド２６とをシートが通過するが、この本体上ガイド２５と本体下ガイド２６とのシート案内面２５ａ，２６ａにも、上記突部を多数形成して凹凸面にしてあるので、シートが帯電することなく円滑に搬送されることになる。また、従来必要としていた、画像形成装置内の除電針等の除電機構を廃止することができる。
【図面の簡単な説明】
【００４１】
【図１】シート案内装置を備えた画像読取装置のシート搬送方向に沿った断面図である。
【図２】図１の画像読取装置の平面図である。
【図３】図１に示すシート案内装置における上側のシート案内部材の下面図（シート搬送面の平面図）である。
【図４】シート案内装置のシート案内部材の断面拡大図である。
【図５】シート案内装置を備えた画像形成装置のシート搬送方向に沿った断面図である。
【符号の説明】
【００４２】
Ｄ      原稿（シート）
Ｐ      シート
１      本体下ガイド（シート案内部材）
１ａ    シート案内面
２      本体上ガイド（シート案内部材）
２ａ    シート案内面
３      搬送トレイ
３ａ    シート案内面
７      突部
１１      画像読取装置
１２      シート案内装置
１３      画像読取装置の装置本体
１６      コンタクトイメージセンサ（画像読取手段）
１７      リブ
１８      リブ
２１      画像形成装置
２４      シート案内装置
２５      本体上ガイド（シート案内部材）
２５ａ    シート案内面
２６      本体下ガイド（シート案内部材）
２６ａ    シート案内面
２７      感光体ドラム（画像形成手段）
【図１】
2005194004.tif 000003
【図２】
2005194004.tif 000004
【図３】
2005194004.tif 000005
【図４】
2005194004.tif 000006
【図５】
2005194004.tif 000007